(57)【特許請求の範囲】
【請求項１】
少なくとも現用系の信号と予備系の信号とを含む主信号についてクロスコネクトを行なうクロスコネクト方法であって、
該クロスコネクトに必要な回線設定情報を保持する保持ステップと、
該主信号から上記の現用系の信号及び予備系の信号のいずれか一方の信号を選択するタイミングを示すトリガ情報を該主信号のチャンネル単位に検出する検出ステップと、
該回線設定情報を基に該トリガ情報を前記チャンネル単位にクロスコネクトするトリガ情報クロスコネクトステップと、
該回線設定情報を基に該主信号についてクロスコネクト制御を行なう制御ステップとをそなえるとともに、
該制御ステップが、該主信号のクロスコネクト処理中に、上記トリガ情報クロスコネクトステップでクロスコネクトされた該トリガ情報を基に上記の現用系の信号及び予備系の信号のいずれか一方の信号が選択出力されるように、該クロスコネクト制御を行なうことを特徴とする、クロスコネクト方法。
【請求項２】
少なくとも現用系の信号と予備系の信号とを含む主信号についてクロスコネクトを行なうクロスコネクト部と、
該クロスコネクト部でのクロスコネクトに必要な回線設定情報を保持するメモリ部と、
該主信号から上記の現用系の信号及び予備系の信号のいずれか一方の信号を選択するタイミングを示すトリガ情報を該主信号のチャンネル単位に検出するトリガ検出部と、
該トリガ検出部で検出された該トリガ情報を該回線設定情報を基に前記チャンネル単位にクロスコネクトするトリガ情報クロスコネクト部と、
該メモリ部に保持された該回線設定情報を用いて、該クロスコネクト部でのクロスコネクトを制御するクロスコネクト制御部とをそなえるとともに、
該クロスコネクト制御部が、該クロスコネクト部による該主信号のクロスコネクト処理中に、上記トリガ情報クロスコネクト部でクロスコネクトされた該トリガ情報を基に上記の現用系の信号及び予備系の信号のいずれか一方の信号が選択出力されるように、該クロスコネクト制御を行なうことを特徴とする、クロスコネクト装置。
【請求項３】
少なくとも現用系の信号と予備系の信号とを含む主信号についてクロスコネクトを行なうクロスコネクト部と、
該クロスコネクト部でのクロスコネクトに必要な回線設定情報を保持するメモリ部と、
該メモリ部に保持された該回線設定情報を用いて、該クロスコネクト部でのクロスコネクトを制御するクロスコネクト制御部とをそなえるとともに、
該クロスコネクト制御部が、
該信号から警報情報を検出する警報検出部と、
該警報検出部にて検出された該警報情報を、該メモリ部に保持されている該回線設定情報に従って、クロスコネクトする警報情報クロスコネクト部と、
該警報情報クロスコネクト部にてクロスコネクトされた該警報情報を基に、上記の現用系の信号及び予備系の信号のいずれかを選択する旨の選択情報を生成して出力するスイッチ制御部とをそなえ、
該スイッチ制御部から出力された該選択情報を基に、上記の現用系の信号及び予備系の信号のいずれか一方が選択出力されるように、該クロスコネクト部のクロスコネクトを制御することを特徴とする、クロスコネクト装置。
【請求項４】
該警報検出部が、検出した警報情報を所定の優先順位に従ってコード化するように構成され、
該スイッチ制御部が、該警報情報クロスコネクト部にてクロスコネクトされた該コード化された警報情報を用いて、該選択情報を生成するように構成されていることを特徴とする、請求項３記載のクロスコネクト装置。
【請求項５】
該クロスコネクト制御部が、
該主信号の先頭データと従属データとの組合せを示すコンカチネーション情報を検出するコンカチネーション情報検出部をそなえ、
該コンカチネーション情報検出部にて検出された該コンカチネーション情報を、該メモリ部に保持されている該回線設定情報に従って、クロスコネクトするコンカチネーション情報クロスコネクト部をそなえ、
該スイッチ制御部が、該コンカチネーション情報クロスコネクト部及び該警報情報クロスコネクト部にてそれぞれクロスコネクトされた該コンカチネーション情報及び該警報情報に基づいて、該選択情報を生成するように構成されていることを特徴とする、請求項３記載のクロスコネクト装置。
【請求項６】
該コンカチネーション情報検出部が、検出した該コンカチネーション情報をコード化するように構成され、
該スイッチ制御部が、該コンカチネーション情報検出部にてコード化され、該コンカチネーション情報クロスコネクト部にてクロスコネクトされたコンカチネーション情報に基づいて、該選択情報を生成するように構成されていることを特徴とする、請求項５記載のクロスコネクト装置。
【請求項７】
該クロスコネクト制御部が、
先頭データをクロスコネクトした制御と同じ制御を従属データにも行なうように構成されたことを特徴とする、請求項５記載のクロスコネクト装置。
【発明の詳細な説明】
（目次）
発明の属する技術分野
従来の技術（図１１）
発明が解決しようとする課題
課題を解決するための手段（図１）
発明の実施の形態（図２〜図１０）
発明の効果
【０００１】
【発明の属する技術分野】
本発明は、ＳＤＨ(Synchronous Digital Hierarchy) 伝送装置に好適に使用できる、クロスコネクト方法及びクロスコネクト装置に関する。
【０００２】
【従来の技術】
一般に、リングネットワーク（以下、単に「リング」ということもある）は、複数のノード装置（ＳＤＨ伝送装置）間が高速伝送路（現用と予備）により接続されて構成される。
ここで、リングネットワークを構成する各ノード装置〔例えば、ＡＤＭ(Add Drop Multiplexer)等〕は、その下位階層にある他の低速側のネットワークから送られてくる信号を低速伝送路を介して受信し、リング上の他のノード装置へ向けて、高速の伝送路（現用）にアッドしたり、リング上の他のノード装置から高速伝送路を通じて送られてくる信号を、スルー制御により、さらに別のノード装置へスルーさせたり、ドロップ制御により低速側のネットワークへ向けて低速伝送路にドロップしたりすることができるようになっている。なお、リングネットワーク内の高速伝送路を（高次群）ＳＤＨフレームが伝送され、このＳＤＨフレームのペイロードに下位階層からの信号が搭載される。
【０００３】
このリングネットワークとして、或るノード装置から送信された信号が伝送される伝送路に障害があると、ＡＰＳ(Automatic Path Switch) と呼ばれる制御により、送信先のノード装置へ障害が見かけ上無かったように伝送路を切り替えることのできるＵＰＳＲ(Uni-directional Protection Switched Ring)が案出されている。
【０００４】
このＵＰＳＲタイプのリングネットワークでは、高速伝送路の現用系（以下、単に、「現用」と言う場合がある）と予備系（以下、単に、「予備」と言う場合がある）とにそれぞれ同じ信号を送信し、受信側で両系の信号の品質（回線品質）を監視し、パススイッチ(Path Switch) により、品質の良い方を選択して出力するようになっている。
【０００５】
また、このＵＰＳＲタイプのリングネットワークに対して、通常運用時には現用系に信号を送信し、障害発生時には現用系に送信中の信号を予備系に折り返して、送出するＢＬＳＲ(BI-directional Line Switched Ring) タイプのリングネットワークも案出されている。
このＢＬＳＲタイプのリングネットワークでは、受信側のノード装置において、サービスセレクタ(Service Selector)が、通常運用時に、現用系の信号を選択し、障害発生時に予備系の信号を選択して、現用と予備系の信号の切り替えを行なっている。
【０００６】
このように、リングネットワークには現状ではＵＰＳＲとＢＬＳＲとがあるため、上記のパススイッチとサービスセレクタとの両方をそなえて、ＵＰＳＲ及びＢＬＳＲのいずれのリングネットワークも対応できるようにした装置も考案されている。
ここで、例えば、図１１に示すノード装置１０−１は、このようにＵＰＳＲ及びＢＬＳＲのいずれのリングネットワークにも対応できるように構成されたものであり、この図１１示すように、ノード装置１０−１は、ＴＳＡ(Time Slot Assignment)部１０−１ａ，１０−１ｂ，１０−１ｃ，パススイッチ（ＰＳＷと表記）１０−１ｄ，ＴＳＩ(Time Slot Interchange) 部１０−１ｅ，Ｓ．Ｓ(Service Selector)１０−１ｆ，１０−１ｇをそなえて構成されている。
【０００７】
このノード装置１０−１において、パススイッチ処理は、ライン(Line)からドロップ(drop)されてくる信号をＴＳＡ部１０−１ａ，１０−１ｂ(Soft Switch) とパススイッチ１０−１ｄ(Hard Switch) とによって、行なわれるようになっており、パススイッチ処理後の信号容量は、クロスコネクト(Soft Switch) 前の信号容量の半分になる。
【０００８】
一方、サービスセレクタ処理は、ライン(Line)にアッドされる信号とスルーされる信号に対してＴＳＩ部（クロスコネクト）１０−１ｅ(Soft Switch) とサービスセレクタ１０−１ｆ，１０−１ｇ(Hard Switch) とにより行なわれ、サービスセレクタ処理後の信号容量も処理前の信号容量の半分になる。
【０００９】
【発明が解決しようとする課題】
通常、ＴＳＡ部１０−１ａ〜１０−１ｃやＴＳＩ部１０−１ｅ等による処理（クロスコネクト処理）はソフトからの回線設定のみ(Soft Switch) で動作し、前記図１１にも示すように、パススイッチ１０−１ｄやサービスセレクタ１０−１ｆ，１０−１ｇ等のハードスイッチを用いる場合には現用系及び予備系とも、それぞれクロスコネクト処理後のデータに対して選択処理〔セレクタを用いてプロテクションスイッチ(Hard Switch) 〕を行なっている。
【００１０】
この場合、ＴＳＩ部１０−１ｅは、送られてくる信号をクロスコネクトし、Ｓ．Ｓ１０−１ｆ，１０−１ｇに送出するが、クロスコネクトした信号が、Ｓ．Ｓ１０−１ｆ，１０−１ｇにて選択されない場合もあり、また、ＰＳＷ１０−１ｄでは、ＴＳＡ１０−１ａ及びＴＳＡ１０−１ｂのいずれか一方から送られてくる信号を選択して出力するようになっており、このようなＰＳＷ１０−１ｄやＳ．Ｓ１０−１ｆ，１０−１ｇにて出力されない信号をもクロスコネクト等する冗長の構成は、余分な電力を消費する課題を有する。
【００１１】
本発明は、このような課題に鑑み創案されたものであり、パススイッチやサービスセレクタに用いる回線設定情報を選択し、その信号にてクロスコネクトの切り替えを行なうことにより、従来クロスコネクト以外に使用されていたハードスイッチの機能をクロスコネクトで代用できるようにすることにより装置構成の冗長を防止する、クロスコネクト方法及びクロスコネクト装置を提供することを目的とする。
【００１２】
【課題を解決するための手段】
このため、本発明のクロスコネクト方法は、クロスコネクトに必要な回線設定情報を保持する保持ステップと、該主信号から上記の現用系の信号及び予備系の信号のいずれか一方の信号を選択するタイミングを示すトリガ情報を該主信号のチャンネル単位に検出する検出ステップと、該回線設定情報を基に該トリガ情報を前記チャンネル単位にクロスコネクトするトリガ情報クロスコネクトステップと、該回線設定情報を基に該主信号についてクロスコネクト制御を行なう制御ステップとをそなえるとともに、該制御ステップが、該主信号のクロスコネクト処理中に、上記トリガ情報クロスコネクトステップでクロスコネクトされた該トリガ情報を基に上記の現用系の信号及び予備系の信号のいずれか一方の信号が選択出力されるように、該クロスコネクト制御を行なうことを特徴としている（請求項１）。
【００１３】
一方、図１は、本発明の請求項２記載のクロスコネクト装置を示す原理ブロック図であり、この図１において、クロスコネクト装置１は、少なくとも現用系の信号と予備系の信号とを含む主信号についてクロスコネクトを行なうクロスコネクト部２と、該クロスコネクト部２でのクロスコネクトに必要な回線設定情報を保持するメモリ部３と、該主信号から上記の現用系の信号及び予備系の信号のいずれか一方の信号を選択するタイミングを示すトリガ情報を該主信号のチャンネル単位に検出するトリガ検出部（図示省略）と、該回線設定情報を基に該トリガ検出部で検出された該トリガ情報を前記チャンネル単位にクロスコネクトするトリガ情報クロスコネクト部（図示省略）と、該メモリ部３に保持された該回線設定情報を用いて、該クロスコネクト部２でのクロスコネクトを制御するクロスコネクト制御部４とをそなえるとともに、該クロスコネクト制御部４が、該クロスコネクト部２による該主信号のクロスコネクト処理中に、上記トリガ情報クロスコネクト部でクロスコネクトされた該トリガ情報を基に上記の現用系の信号及び予備系の信号のいずれか一方が選択出力されるように該クロスコネクト部２でのクロスコネクトを制御するように構成されている。
【００１４】
さらに、該クロスコネクト制御部４に、該信号から警報情報を検出する警報検出部と、該警報検出部にて検出された該警報情報を、該メモリ部３に保持されている該回線設定情報に従って、クロスコネクトする警報情報クロスコネクト部と、該警報情報クロスコネクト部にてクロスコネクトされた該警報情報を基に、上記の現用系の信号及び予備系の信号のいずれかを選択する旨の選択情報を生成して出力するスイッチ制御部とをそなえ、該スイッチ制御部から出力された該選択情報を基に、該クロスコネクト部２のクロスコネクトを制御するように構成することもできる（請求項３）。
【００１５】
さらに、該警報検出部を、検出した警報情報を所定の優先順位に従ってコード化するように構成し、該スイッチ制御部を、該警報情報クロスコネクト部にてクロスコネクトされた該コード化された警報情報を用いて、該選択情報を生成するように構成することもできる（請求項４）。
または、該クロスコネクト制御部４に、該主信号の先頭データと従属データとの組合せを示すコンカチネーション情報を検出するコンカチネーション情報検出部をそなえ、該コンカチネーション情報検出部にて検出された該コンカチネーション情報を、該メモリ部３に保持されている該回線設定情報に従って、クロスコネクトするコンカチネーション情報クロスコネクト部をそなえ、該スイッチ制御部が、該コンカチネーション情報クロスコネクト部及び該警報情報クロスコネクト部にてそれぞれクロスコネクトされた該コンカチネーション情報及び該警報情報に基づいて、該選択情報を生成するように構成することもできる（請求項５）。
【００１６】
さらに、該コンカチネーション情報検出部を、検出した該コンカチネーション情報をコード化するように構成し、該スイッチ制御部を、該コンカチネーション情報検出部にてコード化され、該コンカチネーション情報クロスコネクト部にてクロスコネクトされたコンカチネーション情報に基づいて、該選択情報を生成するように構成することもできる（請求項６）。
【００１７】
または、該クロスコネクト制御部４を、先頭データをクロスコネクトした制御と同じ制御を従属データにも行なうように構成するのが望ましい（請求項７）。
【００１８】
【発明の実施の形態】
以下、図面を参照して本発明の実施の形態を説明する。
図２は、本発明の一実施形態に係るクロスコネクト装置を示すブロック図であり、この図２に示すクロスコネクト装置１０は、入力Ｎ（Ｎは整数）チャンネルの信号を出力Ｍ（Ｍは整数）チャンネルの（主）信号にクロスコネクトするとともに、現用及び予備の信号を信号品質の良い方を選択して出力するパススイッチ処理及びサービスセレクタ処理を行なうものである。なお、入力チャンネル数“Ｎ”と出力チャンネル数“Ｍ”との関係は、装置やネットワーク等の保守者の設定に依存して、“Ｎ＝Ｍ”や“Ｎ＞Ｍ”等と定まる。
【００１９】
このため、クロスコネクト装置１０は、図２に示すように、主信号ＴＳＩ部２０，パス(Path)設定部３０，スイッチトリガ検出部４１，スイッチトリガクロスコネクト部４２，セレクタ制御部４３，ＡＣＭセレクタ４４をそなえて構成されている。なお、以下、主信号がＳＴＳ−１２ｃフレームで送られてきて、１フレームに１２チャンネル分の信号が多重されており、本クロスコネクト装置１０は、送られてくる（Ｎ／１２）個のＳＤＨ伝送フレーム（ＳＴＳ−１２ｃ）を（Ｍ／１２）個として出力する場合を例に説明する。
【００２０】
主信号ＴＳＩ部（クロスコネクト部）２０は、複数伝送路からの信号であって各ＳＤＨ伝送フレーム（以下、単に「ＳＤＨフレーム」と言ったり「伝送フレーム」と言ったりすることがある）にチャンネル毎に搭載されている主信号をパス設定部３０からの回線設定情報を基に、所望の出力チャンネルにクロスコネトして出力するものである。
【００２１】
図２に示す“Ｎ：Ｍ”は、主信号ＴＳＩ部２０にて、Ｎチャンネルの入力に対してＭチャンネルが出力されることを意味する。
スイッチトリガ検出部４１は、パススイッチ処理やサービスセレクタ処理を行なうタイミングを示すトリガ情報を検出するものであり、トリガ情報として、コンカチネーション(Concatenation) 情報及びアラーム(Alarm) 情報を検出するようになっている。
【００２２】
このため、スイッチトリガ検出部４１は、図２に示すように、コンカチネーション検出部４１Ａとアラーム検出部４１Ｂをそなえて構成されている。
ここで、コンカチネーション検出部（コンカチネーション情報検出部）４１Ａは、高次群のＳＤＨフレームに搭載されている主信号が先頭データと従属データとの組合せで成っていることを示すコンカチネーション情報を検出するもので、ここでは、ＳＤＨフレームのＳＯＨ内に搭載されている“Ｈ１”，“Ｈ２”バイトを基にコンカチネーションを検出して、検出したコンカチネーション情報を次表１に示すような所定のコードに符号化して出力するようになっている。
【００２３】
【表１】
0003765520.tif 000002
【００２４】
なお、上記の表１に示す「※」は、設定されていないコードを意味し、また“０００”(UNEQ)は、例えば、回線設定されていないチャンネルに対して出力するコンカチネーション情報を示している。従って、本クロスコネクト装置１０では、（Ｎ／１２）個のＳＴＳ−１２ｃフレームを受信すると、コンカチネーション検出部４１Ａは、“０１１”を検出することになる。
【００２５】
ここで、図３（ａ）は、コンカチネーション検出部４１Ａから出力されるデータ例を示す図であり、この図３（ａ）に示すように、コンカチネーション検出部４１Ａからは、チャンネル毎にコンカチネーションサイズのコードが３ビットパラレルデータとして出力される（上記表１の左欄に示す３ビットのデータがパラレルに出力される）。
【００２６】
例えば、ＳＴＳ−１２ｃフレームを受信した場合は、図３（ａ）に示す各チャンネル毎のパラレルデータは、“０１１”となる。
また、図３（ａ）中に記載の「グループ」は、ＳＴＳ−１２ｃを１フレーム当たりに搭載されているチャンネル数（１２）に対応して、１２チャンネル毎にグループ化した意味で示している。なお、この「グループ」の表記は、他の図面においても、別段の定めを除きその意味で用いている。
【００２７】
次に、アラーム検出部（警報検出部）４１Ｂは、受信した主信号からアラーム情報（警報情報）を検出するもので、本実施形態では、検出したアラーム情報を例えば、次表２に示すような所定の優先順位に従ってコード化して出力するようになっている。なお、アラーム情報としては、ＡＩＳ−Ｐ(STS Path Alarm Indication Signal)，ＵＮＥＱ−Ｐ(STS Path Unequipped) ，ＰＬＭ−Ｐ(STS Path Payload Label Mismatch) ，ＰＤＩ−Ｐ(STS Path Payload Defect Indication)，Ｂ３Ｍａｊｏｒ(B3 Bit Error Ratio Major Alarm)，Ｂ３Ｍｉｎｏｒ(B3 Bit Error Ratio Minor Alarm)等がある。
【００２８】
ここで、ＡＩＳ−Ｐは、ＳＴＳパスレベルのアラームを示し、ラインオーバヘッド(Line Overhead) の“Ｈ１”，“Ｈ２”バイトが全て“１”であることを検出することで判断されるようになっている。ＵＮＥＱ−Ｐは、ＳＴＳペイロード(Payload) の回線未設定（データが伝送されていない状態）を示し、パスオーバヘッド上の“Ｃ２”バイトが全て“０”であることを検出することで判断されるようになっている。
【００２９】
また、ＰＬＭ−Ｐは、ＳＴＳペイロードに搭載されているデータのフォーマットと、その信号を処理するために処理を行なうハードに設定されているフォーマット情報とがミスマッチ(Mismatch)していることを示し、処理を行なうハードに設定される“Ｃ２”バイト情報と、ペイロード上のパスオーバヘッドに搭載されてくる“Ｃ２”バイトの比較を行なうことで判断されるようになっている。
【００３０】
ＰＤＩ−Ｐは、ＳＴＳペイロードに搭載されているデータのディフェクト(defect)数を示し、このディフェクト数はコード化され、パスオーバヘッド上の“Ｃ２”バイトに搭載されており、このコード表示を検出することで判断されるようになっている。
Ｂ３Ｍａｊｏｒ，Ｂ３Ｍｉｎｏｒは、ＳＴＳペイロード内に搭載されるデータのＢＩＰ(bit interleaved parity)のエラー検出確率であり、確率のレートは１０-3〜１０-9までが検出される。Ｂ３Ｍａｊｏｒは、このレートの１０-3〜１０-6の範囲内で決めることが可能であり、それ以外のレート（〜１０-9）はＢ３Ｍｉｎｏｒとする。
【００３１】
【表２】
0003765520.tif 000003
【００３２】
上記表２に示す優先順位は、順位が低くなる程、良いデータ品質であることを意味しており、回線設定されない場合は、“１１１１１”に含まれる（回線設定なしのＵＮＥＱ出力は、アラームのＵＮＥＱ−Ｐと同じ状態であると判断させる）。
ここで、図４（ａ）は、アラーム検出部４１Ｂから出力されるデータ例を示す図であり、この図４（ａ）に示すように、アラーム検出部４１Ｂからは、チャンネル毎にアラーム情報が５ビットのパラレルデータとして出力される〔上記表２の左欄に示す５ビットのデータ（アラームコード）がパラレルに出力される〕。
【００３３】
次に、パス設定部（メモリ部）３０は、主信号ＴＳＩ部２０でのクロスコネクト処理に必要な信号の回線設定情報を保持するもので、ここでは、回線設定情報を現用と予備毎にそれぞれそなえており、“Ｎ：Ｍ”のクロスコネクトを行なうために、“２Ｍ”分のレジスタ（メモリ）を持つように構成されている。
即ち、パス設定部３０は、図２に示すように、ＡＣＭ(Address Control Memory)３０−０，３０−１をそなえて構成されており、ＡＣＭ３０−０は、現用（図２には「０系」と表記）のチャンネル毎に回線設定情報を保持し、ＡＣＭ３０−１は、予備（図２には「１系」と表記）のチャンネル毎に回線設定情報を保持するようになっている。
【００３４】
なお、回線設定情報とは、例えば、出力チャンネルと入力チャンネルとのリンク関係を示す情報であって、出力チャンネル“Ｊ”（Ｊ＝１〜Ｍ）に入力チャンネル“Ｉ”（Ｉ＝１〜Ｎ）をリンクさせるための情報で、これらの回線設定情報は、各ＡＣＭ３０−０及びＡＣＭ３０−１からスイッチトリガクロスコネクト部４２及びＡＣＭセレクタ４４へ送られる。
【００３５】
ここで、図５は、ＡＣＭ３０−０から出力される回線設定情報例を示す図であり、この図５に示すように、ＡＣＭ３０−０からは、回線設定情報がチャンネル毎に１０ビットのパラレルデータとして出力されるようになっており、このチャンネル毎の各回線設定情報は、ＡＣＭ３０−０から後述するコンカチネーションＴＳＩ部４２ＡとアラームＴＳＩ部４２Ｂへそれぞれ出力されるようになっている。
【００３６】
なお、図５に記載のチャンネル番号（ｃｈ１〜ｃｈＭ）は、クロスコネクト後のチャンネル番号（出力チャンネル番号）を意味し、各出力チャンネル毎に出力される１０ビットのパラレルデータは、クロスコネクト前のチャンネル番号（入力チャンネル番号）を示す情報である。従って、図５に示す各チャンネル毎の回線設定情報は、出力チャンネル毎に、出力チャンネルにリンクする入力チャンネル（現用）を示す１０ビットのパラレルデータとして出力されることになる。
【００３７】
また、ＡＣＭ３０−１から後述するコンカチネーションＴＳＩ部４２Ａ及びアラームＴＳＩ部４２Ｂへ出力される回線設定情報も、前記図５に示すＡＣＭ３０−０から出力される回線設定情報と同じように、チャンネル毎に１０ビットパラレルデータとして出力される。なお、ＡＣＭ３０−１から出力される出力チャンネル毎の回線設定情報も、出力チャンネルにリンクする入力チャンネル（予備）を示す情報である。
【００３８】
一方、図６は、ＡＣＭ３０−０からＡＣＭセレクタ４４へ出力される回線設定情報例を示す図であり、この図６に示すように、ＡＣＭ３０−０からＡＣＭセレクタ４４へは、チャンネル毎に、１０ビットのパラレルデータが出力されるようになっている。なお、この図６には、１０ビットのパラレルデータの構成を具体的には示していないが、この図６に記載のチャンネル番号（ｃｈ１〜ｃｈＭ）は、クロスコネクト後のチャンネル番号（出力チャンネル番号）を意味し、各チャンネル毎に出力される１０ビットのパラレルデータは、前記の図５に示す回線設定情報（１０ビットのパラレルデータ）と同様に、出力チャンネルにリンクする入力チャンネル（現用）を示す情報である。
【００３９】
また、ＡＣＭ３０−１からＡＣＭセレクタ４４へ出力される回線設定情報も、前記の図６に示すＡＣＭ３０−０から出力される回線設定情報と同様に、チャンネル毎に１０ビットのパラレルデータとして出力され、出力チャンネルにリンクする入力チャンネル（予備）を示す情報が出力されるようになっている。
なお、これらの回線設定情報は、装置の保守者等が回線を設定する際に、図示しない他の装置等を制御して、ＡＣＭ３０−０，３０−１に設定保持させるようになっている。
【００４０】
次に、スイッチトリガクロスコネクト部４２は、スイッチトリガ検出部４１にて検出されたトリガ情報をパス設定部３０に保持されている回線設定情報（図５参照）に従って、クロスコネクト処理を行なうものである。
具体的に、このスイッチトリガクロスコネクト部４２は、ＡＣＭ３０−０及びＡＣＭ３０−１に保持されている回線設定情報に従って、コンカチネーション情報及びアラーム情報に対して主信号ＴＳＩ部２０でのクロスコネクトと同様のクロスコネクトを行なうようになっており、例えば、主信号ＴＳＩ部２０にて入力チャンネル“Ｉ”が出力チャンネル“Ｊ”にクロスコネクトされる場合には、入力チャンネル“Ｉ”のコンカチネーション情報及びアラーム情報を、出力チャンネル“Ｊ”にクロスコネクトするようになっている。
【００４１】
このため、スイッチトリガクロスコネクト部４２は、図２に示すように、コンカチネーションＴＳＩ部４２Ａ及びアラームＴＳＩ部４２Ｂをそなえて構成されている。
ここで、コンカチネーションＴＳＩ部（コンカチネーション情報クロスコネクト部）４２Ａは、コンカチネーション検出部４１Ａにて検出されたコンカチネーション情報をパス設定部３０に保持されている回線設定情報に基づいてクロスコネクトして、現用と予備のコード化したコンカチネーション情報を別々にセレクタ制御部４３へ出力するものである。
【００４２】
ここで、図３（ｂ）は、コンカチネーションＴＳＩ部４２Ａにて出力される出力データ例を示す図であり、この図３（ｂ）に示す出力データが、現用と予備とで別々にセレクタ制御部４３へ出力されるようになっている。
例えば、このコンカチネーションＴＳＩ部４２Ａは、コンカチネーション検出部４１Ａから送られてくる入力Ｎチャンネルのコンカチネーション情報〔図３（ａ）参照〕を、ＡＣＭ３０−０から送られてくる回線設定情報（図５参照）を基にクロスコネクトを行なって、現用のコンカチネーション情報として、セレクタ制御部４３へ出力するようになっている〔図２中「Ｍｃｈ（０系）ａと表記〕。
【００４３】
なお、図２に示すコンカチネーションＴＳＩ部４２Ａ内の“Ｎ：（Ｍ×２）”は、コンカチネーションＴＳＩ部４２Ａにてコンカチネーション検出部４１Ａから送られてくるＮチャンネルのコードをクロスコネクトした後に、現用と予備毎にＭチャンネルのコードが出力されることを意味する。
例えば、入力チャンネル（ｃｈ３）が現用として用いられ、且つ、主信号ＴＳＩ部２０にて、入力チャンネル（ｃｈ３）が出力チャンネル（ｃｈ２４）にクロスコネクトされる場合には、図３（ａ），（ｂ）に示すように、検出された入力チャンネル（ｃｈ３）のコンカチネーション情報（３ビットのパラレルデータ）は、コンカチネーションＴＳＩ部４２Ａにて、チャンネル（ｃｈ２４）にクロスコネクトされる。
【００４４】
一方、コンカチネーションＴＳＩ部４２Ａは、このとき、入力Ｎチャンネルのコンカチネーション情報〔図３（ａ）参照〕を、ＡＣＭ３０−１に保持される予備の回線設定情報を基にクロスコネクトして、予備のコンカチネーション情報として、セレクタ制御部４３へ出力する〔図２中「Ｍｃｈ（１系）ｂ」と表記〕。
例えば、入力チャンネル（ｃｈ２３）が予備として用いられ、且つ、主信号ＴＳＩ部２０にて、入力チャンネル（ｃｈ２３）が出力チャンネル（ｃｈ８）にクロスコネクトされる場合には、図３（ａ），（ｂ）に示すように、検出された入力チャンネル（ｃｈ２３）のコンカチネーション情報（３ビットのパラレルデータ）は、コンカチネーションＴＳＩ部４２Ａにて、チャンネル（ｃｈ２４）にクロスコネクトされるようになっている。
【００４５】
次に、アラームＴＳＩ部（警報情報クロスコネクト部）４２Ｂは、アラーム検出部４１Ｂにて検出されたアラーム情報をパス設定部３０に保持されている回線設定情報に基づいてクロスコネクトし、現用と予備のコード化したアラーム情報を別々にセレクタ制御部４３へ出力するものである。
ここで、図４（ｂ）は、アラームＴＳＩ部４２Ｂから出力される出力データ例を示す図であり、この図４（ｂ）に示す出力データが、現用と予備と別々にセレクタ制御部４３へ出力されるようになっている。また、図２に示すアラームＴＳＩ部４２Ｂ内の“Ｎ：（Ｍ×２）”は、アラームＴＳＩ部４２Ｂにて、アラーム検出部４１Ｂから送られてくるＮチャンネルのコードをクロスコネクトした後に、現用と予備毎にそれぞれＭチャンネルのコードが出力されることを意味する。
【００４６】
具体的には、アラームＴＳＩ部４２Ｂは、アラーム検出部４１Ｂから送られてくる入力Ｎチャンネル分のアラーム情報〔図４（ａ）参照〕を、ＡＣＭ３０−０から送られてくる回線設定情報（図５参照）を基にクロスコネクトを行なって、現用のアラーム情報として、セレクタ制御部４３へ出力するようになっている〔図２中「Ｍｃｈ（０系）ｃ」と表記〕。
【００４７】
例えば、入力チャンネル（ｃｈ３）が現用として用いられ、且つ、主信号ＴＳＩ部２０にて、入力チャンネル（ｃｈ３）が出力チャンネル（ｃｈ２４）にクロスコネクトされる場合には、図４（ａ），（ｂ）に示すように、検出された入力チャンネル（ｃｈ３）のアラーム情報（５ビットのパラレルデータ）は、アラームＴＳＩ部４２Ｂにて、チャンネル（ｃｈ２４）にクロスコネクトされるようになっている。
【００４８】
一方、アラームＴＳＩ部４２Ｂは、入力Ｎチャンネルのアラーム情報〔図４（ａ）参照〕を、ＡＣＭ３０−１に保持される予備の回線設定情報（図５に示すものに相当する予備用の情報）を基にクロスコネクトして、予備のアラーム情報として、セレクタ制御部４３へ出力する〔図２中「Ｍｃｈ（１系）ｄ」と表記〕。
例えば、入力チャンネル（ｃｈ２３）が予備として用いられ、且つ、主信号ＴＳＩ部２０にて、入力チャンネル（ｃｈ２３）が出力チャンネル（ｃｈ８）にクロスコネクトされる場合には、図４（ａ），（ｂ）に示すように、検出された入力チャンネル（ｃｈ２３）のアラーム情報（５ビットのパラレルデータ）は、アラームＴＳＩ部４２Ｂにて、チャンネル（ｃｈ８）にクロスコネクトされるようになっている。
【００４９】
次に、セレクタ制御部（スイッチ制御部）４３は、アラームＴＳＩ部４２Ｂにてクロスコネクトされたアラーム情報及びコンカチネーションＴＳＩ部４２Ａにてクロスコネクトされたコンカチネーション情報を基に、現用及び予備の信号のいずれかを選択する旨の情報（選択情報）を出力するものである。
また、セレクタ制御部４３は、パススイッチ及びサービスセレクタ処理をアラームの優先順位による切り替えたり、ソフトウェアからの設定によりスイッチ方向の決定を行なったりするようにもなっており、これらの切り替えやスイッチ方向の決定は、出力１チャンネルにつき入力される２チャンネル分（現用と予備）のアラームとコンカチネーションとの対の情報を基に行なうようになっている。
【００５０】
従って、これらの情報を基に、セレクタ制御部４３は、ハード及びソフトスイッチを行ない選択情報を出力するようになっている。
具体的には、セレクタ制御部４３は、出力１チャンネルにリンクする入力２チャンネルの各アラーム情報を比較し、アラーム情報としてアラームＴＳＩ部４２Ｂから送られてくるコード（バイナリコード：表２参照）を比較して、優先順位の低いアラーム情報を示す現用及び予備のいずれか一方を選択する。
【００５１】
例えば、セレクタ制御部４３は、出力Ｊチャンネルにリンクする２つの入力チャンネルに対して、０系（現用）で“ＡＩＳ−Ｐ”が検出され、１系（予備）で“Ｂ３Ｍｉｎｏｒ”が検出された場合には、セレクタ制御部４３は１系の主信号を主信号ＴＳＩ部２０にて出力できるように、出力Ｊチャンネルの回線設定情報に１系のチャンネルを選択すべき旨の選択情報をＡＣＭ４４セレクタに出力する。
【００５２】
ここで、図７は、セレクタ制御部４３からＡＣＭセレクタ４４へ出力される選択情報例を示す図であり、この図７に示すチャンネル番号は、主信号ＴＳＩ部２０の出力チャンネルを意味し、この出力チャンネル毎に、選択情報がＡＣＭセレクタ４４へ出力されるようになっている。なお、本実施形態では、例えば、各出力チャンネル毎に、選択情報として１ビットのデータとして、現用を選択すべき旨の“０”及び予備を選択すべき旨の“１”のいずれか一方が出力される。
【００５３】
また、セレクタ制御部４３は、コンカチネーションＴＳＩ部４２Ａから送られてくるコンカチネーション情報を基に、コンカチネーション動作を実行するようにもなっている。このコンカチネーション動作の実行に際し、セレクタ制御部４３は、現用及び予備のコンカチネーション情報に対して、適切なコードを受信しているかを判断する。
【００５４】
ここで、図８は、セレクタ制御部４３での受信コードに対する判断を説明するための図であり、この図８では、コンカチネーションの先頭と従属との関係を示しており、主信号ＴＳＩ部２０に１スロット(slot)当たり最大ＳＴＳ−１２ｃの信号を入力でき、ＳＴＳ−４８ｃを取り扱う場合には４スロットを要し、図８に示すように、主信号ＴＳＩ部２０が８スロットの伝送容量を扱える場合を前提にしている。
【００５５】
本クロスコネクト装置１０は、ＳＴＳ−１２ｃを取り扱うことから、図８に示す矢印Ａの１２ｃで、従属チャンネル（ｃｈ２〜ｃｈ１２）は、先頭チャンネル（ｃｈ１）に従属している。
なお、セレクタ制御部４３は、ＳＴＳ−１２ｃのコードを受信できるチャンネルがチャンネル（ｃｈ１）のみであるため、他のチャンネルでＳＴＳ−１２ｃのコードを受信すると、無視するようになっており、また、受信したコンカチネーションのコードが正確なものであるかを識別するようになっている。
【００５６】
ここで、図９（ａ）〜（ｅ）は、それぞれセレクタ制御部４３がコンカチネーションのコードを認識するために用いる定義を説明するための図であり、セレクタ制御部４３は、ネットワークや装置の保守者等により設定されたコンカチネーションサイズを受信すると、図９（ａ）に示す定義に従って、コンカチネーションコードを認識するようになっている。
【００５７】
ここで、セレクタ制御部４３は、受信したコンカチネーション情報が設定されているコンカチネーションサイズより大きいサイズのコンカチネーション情報を受信したときには、チャンネル毎にＳＴＳ−１として取り扱い、コンカチネーションサイズがＳＴＳ−１２ｃに設定されている場合に、図９（ｃ）に示すように、ＳＴＳ−１２ｃより大きいコンカチネーションサイズを検出したときには、ＳＴＳ−１として扱うようになっている。
【００５８】
例えば、セレクタ制御部４３は、先頭チャンネルのコンカチネーションサイズがＳＴＳ−１２ｃと設定されている場合にもかかわらずＳＴＳ−２４ｃ或いはＳＴＳ−４８ｃのコードが検出されたときには、図９（ｃ）に示すように、ＳＴＳ−１として取り扱うようになっている〔図９（ｃ）中「Ｃ」と表記〕。
また、セレクタ制御部４３は、コンカチネーションＴＳＩ部４２Ａから送られてくる現用と予備のコンカチネーションコードを比較して、コンカチネーション容量の大きいほうをこのチャンネルのコンカチネーションと認識するようになっている。
【００５９】
ここで、図１０は、セレクタ制御部４３におけるコンカチネーションの判定を説明するための図であり、この図１０には、コンカチネーション容量の違うコードを比較したときに、いずれかのコンカチネーションを選択するかが示されており、セレクタ制御部４３は、この図１０に示す情報を基に、コンカチネーション容量を判定するようになっている。
【００６０】
例えば、セレクタ制御部４３は、ある出力チャンネルについて、図１０中の矢印Ｂで示すように、ＥＡＳＴ側からコンカチネーション（ＳＴＳ−１）を検出し、ＷＥＳＴ側からコンカチネーション（ＳＴＳ−１２ｃ）を検出したときには、コンカチネーション（ＳＴＳ−１２ｃ）を選択するようになっている（図１０中の矢印Ｂの欄の“○”）。
【００６１】
なお、図１０中の“ＥＡＳＴ”は、現用及び予備のいずれか一方であることに相応し、ＥＡＳＴ側から受信した信号が現用であるならば、“ＷＥＳＴ”は、予備に相応する。また、図１０中“ＳＳ”は、サービスセレクトを意味し、“ＰＳＷ”は、パススイッチを意味する。
さらに、セレクタ制御部４３は、コンカチネーションの先頭チャンネルの適切なコードを受信したときには、従属チャンネルについてはアラーム情報の比較を行なわずに、先頭チャンネルと同じ選択情報を出力するようになっている（コンカチネーション動作）。
【００６２】
例えば、セレクタ制御部４３が図７に示す出力チャンネル（ｃｈ１）に選択情報“０”を出力した場合には、従属チャンネル（ｃｈ２〜ｃｈ１２）には、先頭チャンネル（ｃｈ１）の選択情報“０”が複写されて、出力されるようになっている。
つぎに、ＡＣＭセレクタ４４は、セレクタ制御部４３から送られてくる選択情報を基に、ＡＣＭ３０−０及び３０−１から送られてくる各回線設定情報を選択するものである。
【００６３】
ＡＣＭセレクタ４４は、セレクタ制御部４３にて送出された選択情報（図７参照）を基に、ＡＣＭ３０−０及びＡＣＭ３０−１からそれぞれ送出された回線設定情報を、チャンネル毎に選択して主信号ＴＳＩ部２０へ送るようになっている。
図７に示すチャンネル毎の１ビットで構成される選択情報が、ＡＣＭセレクタ４４で現用及び予備の回線設定情報のいずれかを選択する際に用いられるようになっており、ＡＣＭセレクタ４４は、図７に示すシリアルに送られてくる選択情報をパラレルに変換して、回線設定情報の選択を行なうようになっており、選択情報が“０”のときは、現用系の回線設定情報を選択し、逆に選択情報が“１”のときは、予備系の回線設定情報を選択するようになっている。
【００６４】
例えば、図７に示す出力チャンネル（ｃｈ１）の選択情報が“１”である場合、ＡＣＭセレクタ４４は、ＡＣＭ３０−０とＡＣＭ３０−１からそれぞれ送られてくる出力チャンネルとリンクする入力チャンネルを示す回線設定情報のうち、ＡＣＭ３０−１から送られてくる回線設定情報を選択するようになっている。
ＡＣＭセレクタ４４にて選択された回線設定情報は、再び図６を用いて説明すると、Ｍ／１２パラレル制御に出力されるようになっている。各出力チャンネル毎に送出された回線設定情報が、主信号ＴＳＩ部２０にて読み出しアドレスとして用いられるようになっている（Ｍ／１２パラレルのデータで主信号ＴＳＩ部２０が制御される）。
【００６５】
これらのコンカチネーション検出部４１Ａとアラーム検出部４１ＢとコンカチネーションＴＳＩ部４２ＡとアラームＴＳＩ部４２Ｂとセレクタ制御部４３とＡＣＭセレクタ４４とがそなえられることで、クロスコネクト装置１０は、パス設定部３０に保持された回線設定情報を用いて、主信号ＴＳＩ部２０でのクロスコネクトを制御するクロスコネクト制御部に相応するものをそなえて構成される。
【００６６】
上述の如く構成されたクロスコネクト装置１０の動作を、コンカチネーションサイズ１２ｃ（１２チャンネル搭載）のＳＯＮＥＴ(Synchronous Optical Network) フレームを現用及び予備の系から受信し、受信したチャンネルのうち入力２４チャンネル（現用；１ｃｈ〜１２ｃｈ，予備；１３ｃｈ〜２４ｃｈ）を出力チャンネル（ｃｈ１〜ｃｈ１２）にクロスコネクトする場合を例に説明する。
【００６７】
現用及び予備の信号としてクロスコネクト装置１０に送られてくる信号は、主信号ＴＳＩ部２０へ送られるとともに、スイッチトリガ検出部４１へ送られる。
スイッチトリガ検出部４１では、コンカチネーション検出部４１Ａが、受信した主信号中のセクションオーバーヘッド(Section Over Head) からコンカチネーション情報を検出し、検出したコンカチネーション情報を所定のコードに置き換えてコンカチネーションＴＳＩ部４２Ａへ送る。
【００６８】
具体的には、コンカチネーション検出部４１Ａは、受信した現用及び予備の信号は、セクションオーバーヘッド内の“Ｈ１”，“Ｈ２”バイトからＳＴＳ−１２ｃを検出することにより表１に示す“０１１”を出力する〔図３（ａ）参照〕。
なお、入力チャンネル（１ｃｈ〜１２ｃｈ）には同じコンカチネーション情報（“０１１”）が、コンカチネーション検出部４１ＡからコンカチネーションＴＳＩ部４２Ａへ３ビットパラレル信号として出力される。
【００６９】
一方、スイッチトリガ検出部４１内のアラーム検出部４１Ｂは、各チャンネル毎に、受信信号からアラーム情報を検出し、検出したアラーム情報を所定のコードに置き換えてアラームＴＳＩ部４２Ｂへ送出する〔図４（ａ）参照〕。
次に、アラームＴＳＩ部４２Ｂでは、アラーム検出部４１Ｂから送られてくるアラーム情報〔図４（ａ）参照〕を、ＡＣＭ３０−０から送られてくる現用の回線設定情報とＡＣＭ３０−１から送られてくる予備の回線設定情報（図５参照）とを用いて、クロスコネクトする〔図４（ｂ）参照〕。
【００７０】
また、コンカチネーションＴＳＩ部４２Ａも、上記アラームＴＳＩ部４２Ｂのクロスコネクト処理と同様に、図５に示す回線設定情報を用いて、コンカチネーション検出部４１Ａから送られてくるコンカチネーション情報〔図３（ａ）参照〕をクロスコネクトする〔図３（ｂ）参照〕。
次に、セレクタ制御部４３は、コンカチネーションＴＳＩ部４２Ａ及びアラームＴＳＩ部４２Ｂから送られてくるコンカチネーション情報及びアラーム情報を基に、現用及び予備のいずれかの回線設定情報を選択する旨の選択情報をＡＣＭセレクタ４４へ出力する。
【００７１】
このセレクタ制御部４３は、表２の優先順位に従って、アラームＴＳＩ部４２Ｂから送られてくる２つの信号のうち優先順位の低い方を選択するとともに、コンカチネーションＴＳＩ部４２Ａから送られてくる現用と予備のコンカチネーション情報を比較して、コンカチネーションサイズの大きいコンカチネーション容量で選択情報を出力する。
【００７２】
ここで、セレクタ制御部４３は、コンカチネーションである場合は、先頭チャンネル（ｃｈ１）についてのみアラーム情報の比較を行ない、例えば、現用と予備の先頭チャンネルを表２を基に比較した結果、予備を選択すべきと判断したときは、先頭チャンネルの選択情報として“１”を出力するが、この先頭チャンネルに従属する従属チャンネル（ｃｈ２〜ｃｈ１２）に対しても、予備の回線設定情報を選択する選択情報“１”を出力する。
【００７３】
ところで、コンカチネーションの比較に際し、セレクタ制御部４３は、受信したコンカチネーション情報が設定されているコンカチネーションより大きいサイズのコンカチネーション情報を受信したときには、チャンネル毎にＳＴＳ−１として取り扱う〔図９（ｃ）参照〕。
例えば、コンカチネーションＴＳＩ部４２Ａから送られてくる０系のコンカチネーション情報〔出力チャンネル（ｃｈ１〜ｃｈ１２）〕が、ＳＴＳ−２４ｃのコードを示す場合、セレクタ制御部４３は、０系の出力チャンネル（ｃｈ１〜ｃｈ１２）をＳＴＳ−１として取扱い、０系と１系のコンカチネーションサイズの比較に際し、ＳＴＳ−１よりＳＴＳ−１２ｃの方が大きいことから、ＳＴＳ−１２ｃを選択し（図１０参照）、このＳＴＳ−１２ｃに搭載されるチャンネル数分の選択情報をＡＣＭセレクタ４４へ出力する。
【００７４】
この場合も、セレクタ制御部４３は、先頭チャンネル（ｃｈ１）のみアラーム情報の比較を行ない、出力チャンネル（ｃｈ１）の選択情報として“１”を判断したときには、従属チャンネル（ｃｈ２〜ｃｈ１２）の選択情報も“１”として出力する。
次に、ＡＣＭセレクタ４４は、セレクタ制御部４３から送られてくる選択情報を基に、パス設定部３０のＡＣＭ３０−０及びＡＣＭ３０−１から送られてくる回線設定情報のいずれかをチャンネル毎に選択して、主信号ＴＳＩ部２０へ送出する。
【００７５】
具体的には、ＡＣＭセレクタ４４は、出力チャンネル（ｃｈ１〜ｃｈ１２）に対して、セレクタ制御部４３から送られてくる選択情報が“１”である場合には、ＡＣＭ３０−１から送られてくる回線設定情報を選択して主信号ＴＳＩ部２０へ出力する（図６参照）。なお、この場合に、ＡＣＭセレクタ４４は、コンカチネーションの先頭チャンネル（ｃｈ１）及び従属チャンネル（ｃｈ２〜ｃｈ１２）の選択情報として、ＡＣＭ３０−１から送られてくる回線設定情報を選択して出力する。
【００７６】
主信号ＴＳＩ部２０は、ＡＣＭセレクタ４４から送られてくる回線設定情報を基に、出力チャンネル（ｃｈ１〜ｃｈ１２）に、入力チャンネル（ｃｈ１３〜ｃｈ２４）の信号をクロスコネクトする。
なお、その他の入力チャンネルの信号に対しても、本クロスコネクト装置１０は、アラーム情報の比較等の処理を行なってクロスコネクトする。
【００７７】
このように、本実施形態に係るクロスコネクト装置１０によれば、現用及び予備の主信号をそれぞれクロスコネクト後にパススイッチ処理やサービスセレクト処理せずに、主信号ＴＳＩ部２０は、ＡＣＭセレクタ４４がセレクタ制御部４３にて送出された選択情報を基に選択した現用或いは予備の回線設定情報を用いて、現用或いは予備の主信号のみをクロスコネクトすることにより、パススイッチ処理やサービスセレクト処理を行なえる。
【００７８】
従って、クロスコネクト装置１０は、従来クロスコネクト以外に使用されていたハードスイッチの機能をクロスコネクトで代用できるようにすることにより装置の冗長構成を防止できて、消費電力の低減を図れる。
さらに、本クロスコネクト装置１０によれば、アラームＴＳＩ部４２Ｂが、アラーム検出部４１Ｂにて検出されたアラーム情報をパス設定部３０に保持されている回線設定情報に従ってクロスコネクトし、セレクタ制御部４３が、出力した現用及び予備の信号のいずれかを選択する旨の選択情報を基に、主信号ＴＳＩ部２０のクロスコネクトを制御するので、確実に装置の冗長構成を防止できて、消費電力の低減を図れる。
【００７９】
さらに、本クロスコネクト装置１０によれば、アラーム検出部４１Ｂが、検出したアラーム情報を表２に示す優先順位に従ってコード化し、セレクタ制御部４３が、アラームＴＳＩ部４２Ｂにてクロスコネクトされたコードを用いて、選択情報を出力するので、重要なアラームのみをインタフェースすることで、インタフェースの複雑化をも回避できて、装置の簡略化も図れる。
【００８０】
また、本クロスコネクト装置１０によれば、コンカチネーションＴＳＩ部２０が、コンカチネーション検出部４１Ａにて検出されたコンカチネーション情報をパス設定部３０に保持されている回線設定情報に従ってクロスコネクトし、セレクタ制御部４３が、コンカチネーションＴＳＩ部４２ＡとアラームＴＳＩ部４２Ｂとにてクロスコネクトされたコンカチネーション情報とアラーム情報とに基づいて、選択情報を出力するので、迅速にコンカチネーション切替を行なえて、ロス(Loss)する信号を低減できるとともに、コンカチネーションでのアラーム切替も迅速に行なえる。
【００８１】
さらに、本クロスコネクト装置１０によれば、コンカチネーション検出部４１Ａが、検出したコンカチネーション情報をコード化し、セレクタ制御部４３が、コンカチネーションＴＳＩ部４２Ａにてクロスコネクトされたコードをも用いて、選択情報を出力するので、インタフェースの複雑化をも回避できて、装置の簡略化をも図れる。
【００８２】
または、本クロスコネクト装置１０によれば、コンカチネーションにより先頭データと従属データとで複数多重されている信号に対して、先頭データをクロスコネクトした制御と同じ制御を従属データにも行なうので、迅速にコンカチネーション切替を行なえて、ロス(Loss)する信号を低減できるとともに、コンカチネーションでのアラーム切替も迅速に行なえる。
【００８３】
なお、上述した一実施形態に係るクロスコネクト装置１０では、１グループを１２チャンネル（ＳＴＳ−１２ｃ）として取り扱うようになっているが、例えば、１グループを１チャンネル（ＳＴＳ−１），３チャンネル（ＳＴＳ−３），１２チャンネル（ＳＴＳ−１２ｃ），２４チャンネル（ＳＴＳ−２４ｃ），４８チャンネル（ＳＴＳ−４８ｃ）等として１グループに含まれるチャンネル数が異なる各グループを取り扱い、複数の異なる伝送容量の信号をクロスコネクトすることもできる。
【００８４】
例えば、入力Ｎチャンネルに着目して言えば、Ｎチャンネルの内で、４８チャンネルをＳＴＳ−４８ｃ，２４チャンネルをＳＴＳ−２４ｃ，６チャンネルを２ＳＴＳ−３等と取り扱えるように、クロスコネクト装置１０は、構成することができる。
ここで、主信号ＴＳＩ部２０の入力チャンネル数“Ｎ”中で、如何なる伝送速度の信号を収容するか、また、出力チャンネル数“Ｍ”中でも如何なる伝送速度の信号で出力するかは、装置やリングネットワークの保守者等の設定により様々な態様で実施できる。
【００８５】
すなわち、この場合のクロスコネクト装置１０は、高速伝送路に限らず低速伝送路を送られてくる信号を主信号ＴＳＩ部２０に送る一方で、前記と同様にパス設定部３０，スイッチトリガ検出部４１，スイッチトリガクロスコネクト部４２，セレクタ制御部４３，ＡＣＭセレクタ４４の制御により、クロスコネクトを行なうようになっている。
【００８６】
なお、この場合にＡＣＭ３０−０，３０−１に保持される回線設定情報は、主信号ＴＳＩ部２０にて行なわれるクロスコネクトが上述したものとは異なるため、前述したＡＣＭ３０−０，３０−１に保持される回線設定情報と異なる。
具体的な、回線設定情報は、装置やネットワーク等の保守者の設定により様々であるが、この場合のクロスコネクト装置１０においても、現用及び予備の主信号を選択して出力するパススイッチ処理やサービスセレクタ処理を行なうため、スイッチトリガ検出部４１のコンカチネーション検出部４１Ａ及びアラーム検出部４１Ｂから出力されたコンカチネーション及びアラームのコードは、ＡＣＭ３０−０，３０−１で保持される回線設定情報を基に、スイッチトリガクロスコネクト部４２のコンカチネーションＴＳＩ部４２Ａ及びアラームＴＳＩ部４２Ｂにてクロスコネクトされて、セレクタ制御部４３へ出力されるようになっている。
【００８７】
なお、この場合、図５に示すＡＣＭ３０−０，３０−１からコンカチネーションＴＳＩ部４２Ａ及びアラームＴＳＩ部４２Ｂへ出力される回線設定情報は、１グループ当たり１２チャンネルが出力されるように記載されているが、１２チャンネルに限らず１チャンネルや２４チャンネル等である場合がある。
また、同様に、図３（ｂ）に示すコンカチネーションＴＳＩ部４２Ａからセレクタ制御部４３へ出力されるコード及び図４（ｂ）に示すアラーム検出部４２Ｂからセレクタ制御部４３へ出力されるコードを図３（ｂ）や図４（ｂ）は示すが、図３（ｂ）及び図４（ｂ）中に記載の「グループ」もチャンネル数が１２個に限らない。
【００８８】
さらに、図７に示す選択情報や図６に示す回線設定情報も、１グループ当たり１２個に限らない。
また、複数の異なる伝送速度の信号を取り扱うことから、セレクタ制御部４３は、ＳＴＳ−２４ｃを受信すると設定されているチャンネルに対して、ＳＴＳ−４８ｃのコンカチネーションのコードを受信したときには、コードの認識に際し、ＳＴＳ−１として取り扱うようになっている〔図９（ｂ）参照〕。
【００８９】
また、セレクタ制御部４３は、その他の図９（ｄ），（ｅ）を用いて、受信したコンカチネーションコードの認識を行なうようにもなっている。
上述の如く構成された、クロスコネクト装置１０では、前述したものと同様の効果が得られる他、予め設計された通りの伝送速度の信号に限りクロスコネクトするのではなく、装置が扱えるチャンネル数の範囲で、様々な伝送速度の信号をクロスコネクトできるので、装置を種々のネットワークへ適用できる自由度もあり、ネットワークの構築に貢献できる。
【００９０】
以上詳述した以外に、本発明は、発明の趣旨を逸脱しない範囲で種々の態様で実施できる。
【００９１】
【発明の効果】
以上詳述したように、本発明の請求項１記載のクロスコネクト方法によれば、制御ステップが、保持ステップにて保持されている回線設定情報を基に、現用系の信号及び予備系の信号のうち品質の良い方を選択するように、クロスコネクト制御するので、従来クロスコネクト以外に使用されていたハードスイッチの機能をクロスコネクトに代用して装置の冗長構成を防止できて、消費電力を低減できる。
【００９２】
一方、本発明の請求項２記載のクロスコネクト装置によれば、クロスコネクト制御部が、メモリ部に保持された回線設定情報を用いて、現用系の信号及び予備系の信号のうち品質の良い方を選択するようにクロスコネクト部をクロスコネクト制御するので、消費電力を低減できる。
さらに、本発明の請求項３記載のクロスコネクト装置によれば、警報情報クロスコネクト部が、警報検出部にて検出された警報情報をメモリ部に保持されている回線設定情報に従ってクロスコネクトし、スイッチ制御部が、出力した現用系の信号及び予備系の信号のいずれかを選択する旨の選択情報を基に、クロスコネクト部のクロスコネクトを制御するので、確実に主信号の冗長なクロスコネクト処理を防止でき、消費電力の低減を計れる。
【００９３】
さらに、本発明の請求項４記載のクロスコネクト装置によれば、警報検出部が、検出した警報情報を所定の優先順位に従ってコード化し、スイッチ制御部が、警報情報クロスコネクト部にてクロスコネクトされたコード化された警報情報を用いて、選択情報を出力するので、重要な警報情報のみをインタフェースすることで、インタフェースの複雑化をも回避できて、装置の簡略化をも計れる。
【００９４】
または、本発明の請求項５記載のクロスコネクト装置によれば、コンカチネーション情報クロスコネクト部が、コンカチネーション情報検出部にて検出されたコンカチネーション情報をメモリ部に保持されている回線設定情報に従って、クロスコネクトし、スイッチ制御部が、コンカチネーション情報クロスコネクト部と警報情報クロスコネクト部とにてクロスコネクトされたコンカチネーション情報と警報情報とに基づいて、選択情報を出力するので、迅速にコンカチネーション切替制御が行なえて、ロス(Loss)する信号を低減できるとともに、コンカチネーションでのアラーム切替も迅速に行なえる。
【００９５】
さらに、本発明の請求項６記載のクロスコネクト装置によれば、コンカチネーション情報検出部が、検出したコンカチネーション情報をコード化し、スイッチ制御部が、コンカチネーション情報検出部にてコード化され、コンカチネーション情報クロスコネクト部にてクロスコネクトされたコンカチネーション情報を用いて、選択情報を出力するので、インタフェースの複雑化をも回避できて、装置の簡略化をも計れる。
【００９６】
または、本発明の請求項７記載のクロスコネクト装置によれば、クロスコネクト制御部が先頭データをクロスコネクトした制御と同じ制御を従属データにも行なうので、迅速にコンカチネーション切替制御を行なえて、ロス(Loss)する信号を低減できるとともに、コンカチネーションでのアラーム切替も迅速に行なえる。
【図面の簡単な説明】
【図１】本発明の原理ブロック図である。
【図２】本発明の一実施形態に係るクロスコネクト装置を示すブロック図である。
【図３】（ａ）は、コンカチネーション検出部から出力されるデータ例を示す図であり、（ｂ）は、コンカチネーションＴＳＩ部から出力される出力データ例を示す図である。
【図４】（ａ）は、アラーム検出部から出力されるデータ例を示す図であり、（ｂ）は、アラームＴＳＩ部から出力される出力データ例を示す図である。
【図５】本発明の一実施形態に係るＡＣＭから出力される回線設定情報例を示す図である。
【図６】本発明の一実施形態に係るＡＣＭからＡＣＭセレクタへ出力される回線設定情報例を示す図である。
【図７】本発明の一実施形態に係るセレクタ制御部からＡＣＭセレクタへ出力される選択情報例を示す図である。
【図８】本発明の一実施形態に係るセレクタ制御部での受信コードに対する判断を説明するための図である。
【図９】（ａ）〜（ｅ）は、それぞれ一実施形態に係るセレクタ制御部がコンカチネーションのコードを認識するために用いる定義を説明するための図である。
【図１０】本発明の一実施形態に係るセレクタ制御部におけるコンカチネーションの判定を説明するための図である。
【図１１】ＵＰＳＲ及びＢＬＳＲのいずれのリングネットワークにも対応できるノード装置の構成例を示すブロック図である。
【符号の説明】
１，１０  クロスコネクト装置
２  クロスコネクト部
３  メモリ部
４  クロスコネクト制御部
２０  主信号ＴＳＩ部（クロスコネクト部）
３０  パス設定部（メモリ部）
３０−０，３０−１  ＡＣＭ
４１Ａ  コンカチネーション検出部（コンカチネーション情報検出部）
４１Ｂ  アラーム検出部（警報検出部）
４２  スイッチトリガクロスコネクト部
４２Ａ  コンカチネーションＴＳＩ部（コンカチネーション情報クロスコネクト部）
４２Ｂ  アラームＴＳＩ部（警報情報クロスコネクト部）
４３  セレクタ制御部（スイッチ制御部）
４４  ＡＣＭセレクタ
【図１】
0003765520.tif 000004
【図２】
0003765520.tif 000005
【図３】
0003765520.tif 000006
【図４】
0003765520.tif 000007
【図５】
0003765520.tif 000008
【図６】
0003765520.tif 000009
【図７】
0003765520.tif 000010
【図８】
0003765520.tif 000011
【図９】
0003765520.tif 000012
【図１０】
0003765520.tif 000013
【図１１】
0003765520.tif 000014